(57)【要約】【課題】本発明は、液体微細化装置において、飛散した水滴の蒸発が促進され、水滴を居室内に放出するのを抑制することができ、住居者の快適性を向上した空気清浄機または空気調和機に適した液体微細化装置を提供する。【解決手段】吸込口２と吹出口３とを有する本体ケース１と、前記本体ケース内の前記吸込口と前記吹出口とを結ぶ風路の間に設けられた送風機４と、前記送風機と前記吸込口との間の風路内に設けられた液体微細化室５とを備え、前記液体微細化室は、貯水部と前記貯水部の液体を微細化させるための液体微細化手段を備えており、前記液体微細化室と前記送風機とは、互いに連通する開口経路１３を備えた仕切壁１２によって区画されていることを特徴とする液体微細化装置。【選択図】図１
2019027675.tif 000002
【特許請求の範囲】
【請求項１】
吸込口と吹出口とを有する本体ケースと、前記本体ケース内の前記吸込口と前記吹出口とを結ぶ風路の間に設けられた送風機と、前記送風機と前記吸込口との間の風路内に設けられた液体微細化室とを備え、前記液体微細化室は、貯水部と前記貯水部の液体を微細化させるための液体微細化手段を備えており、前記液体微細化室と前記送風機とは、互いに連通する開口経路を備えた仕切壁によって区画されていることを特徴とする液体微細化装置。
【請求項２】
前記開口経路が液体微細化手段よりも鉛直方向の上部に位置することを特徴とする請求項１に記載の液体微細化装置。
【請求項３】
前記開口経路の風路に向かって突出するように設けられた遮蔽板を備えることを特徴とする請求項１と２に記載の液体微細化装置。
【請求項４】
前記開口経路の風路に複数の板で構成され、隣接する板の間にスリットを設けた遮蔽スリット板を設けることを特徴とする請求項１又は２に記載の液体微細化装置。
【請求項５】
前記遮蔽板は、前記開口経路の風路の上流に向かって前記開口経路の表面と鋭角を成すように傾斜していることを特徴とする請求項３に記載の液体微細化装置。
【請求項６】
請求項１から請求項５のいずれか一つに記載の前記液体微細化装置を備えたことを特徴とする空気清浄機。
【請求項７】
請求項１から請求項５のいずれか一つに記載の前記液体微細化装置を備えたことを特徴とする空気調和機。
【発明の詳細な説明】
【技術分野】
【０００１】
本発明は、液体微細化装置およびそれを用いた空気清浄機または空気調和機に関するものである。
【背景技術】
【０００２】
例えば、液体微細化装置の構成は、以下のような構成となっていた。
【０００３】
すなわち、図５に示すように、液体微細化装置１０１は送風機により外気が通過する処理室１０２と、給水管からの給水を所定量貯水する貯水部１０３と、貯水部１０３に下部を水没させ上方に向かって経が拡大するすり鉢状の回転体１０４と、回転体１０４とともに回転し、回転体１０４の回転による遠心力で飛散された水および空気が通過可能な円筒状の多孔体１０５を備え、回転体１０４の回転による遠心力で、貯水部１０３から水が吸い上げられ、回転体１０４から外部に向けて飛散された水が多孔体１０５を通じて周辺部に衝突し、水が微細化されるようになっている。
【先行技術文献】
【特許文献】
【０００４】
【特許文献１】特開２００９−２７９５１４号公報
【発明の概要】
【発明が解決しようとする課題】
【０００５】
このような従来の液体微細化装置は、遠心力によって貯水部の水を揚水し、回転体に空いた細孔から揚水した水を飛散させるため、飛散した水滴が蒸発しきれず居室内に放出され、住居者の快適性を損なうという課題があった。
【０００６】
そこで本発明は上記従来の課題を解決するものであり、飛散した水滴の蒸発を促進し、水滴を居室内に放出するのを抑制し、住居者の快適性を向上した空気清浄機または空気調和機に適した液体微細化装置を提供することを目的とする。
【課題を解決するための手段】
【０００７】
そして、この目的を達成するために、本発明は、吸込口と吹出口とを有する本体ケースと、前記本体ケース内の前記吸込口と前記吹出口とを結ぶ風路の間に設けられた送風機と、前記送風機と前記吸込口との間の風路内に設けられた液体微細化室とを備え、前記液体微細化室は、貯水部と前記貯水部の液体を微細化させるための液体微細化手段を備えており、前記液体微細化室と前記送風機とは、互いに連通する開口経路を備えた仕切壁によって区画されていることを特徴とするものであり、これにより所期の目的を達成するものである。
【発明の効果】
【０００８】
以上のように、本発明は、液体微細化室の下流側に送風機を設け、互いに連通する開口経路を備えた仕切壁によって区画されていることによって、液滴微細化室から飛散した水滴が仕切壁によって仕切られるため、送風機に吸引されて居室内に放出するのを抑制することできる。また、本発明の送風機は、液体微細化室と吹出口との間に設けられているため、仕切壁の開口経路を通過した水滴が送風機によって送風される際に、ファンの回転による旋回と遮蔽効果で、液体の蒸発が促進され、水滴を居室内に放出するのを抑制することができ、住居者の快適性を向上した空気清浄機または空気調和機に適した液体微細化装置を提供するものである。
【図面の簡単な説明】
【０００９】
【図１】本発明の実施の形態に係る液体微細化装置の概略断面図
【図２】本発明の実施の形態に係る遮蔽板が備えられた開口経路の側方断面図
【図３】（ａ）本発明の他の実施の形態に係る開口経路の側方断面図、（ｂ）本発明の他の実施の形態に係る開口経路の正面図
【図４】本発明の他の実施の形態に係る遮蔽板が備えられた開口経路の側方断面図
【図５】従来の液体微細化装置の断面を示す断面図
【発明を実施するための形態】
【００１０】
本発明の請求項１記載の液体微細化装置は、吸込口と吹出口とを有する本体ケースと、前記本体ケース内の前記吸込口と前記吹出口とを結ぶ風路に設けられた送風機と、前記送風機と前記吸込口との間の風路内に設けられた液体微細化室とを備え、前記液体微細化室は、貯水部と前記貯水部の液体を微細化させるための液体微細化手段を備えており、前記液体微細化室と前記送風機とは、互いに連通する開口経路を備えた仕切壁によって区画されている構成を有する。
【００１１】
この構成によって、液滴微細化室から飛散した水滴が仕切壁によって仕切られるため、送風機に吸引されて居室内に放出するのを抑制することできる。また、本発明の送風機は、液体微細化室と吹出口との間に設けられているため、仕切壁の開口経路を通過した水滴が送風機によって送風される際に、ファンの回転による旋回と遮蔽効果で、飛散した水滴の蒸発が促進され、水滴を居室内に放出するのを抑制することができ、住居者の快適性を向上した空気清浄機または空気調和機に適した液体微細化装置を提供するものである。
【００１２】
また、開口経路が液体微細化手段よりも鉛直方向の上部に位置するように設けられた構成としてもよい。
【００１３】
この構成により、液体微細化室から飛散した水滴の中で体積の小さい水滴のみが風の流れに乗って上昇し、開口経路を通過することができる。一方、体積の大きい水滴が重力により下降する。したがって、体積の大きい水滴を居室内に放出するのを抑制し、住居者の快適性を向上させることができる。
【００１４】
また、開口経路の風路に向かって突出するように設けた遮蔽板を設けられた構成としてもよい。
【００１５】
この構成により、風の気流が開口経路の風路を通過する際に、風路に向かって突出するように設けられた遮蔽板と接触することで、気流に乱流が発生する。気流に含まれる水滴が、発生した乱流によって、空気との接触が増加することで蒸発を促進することができる。さらに、開口経路に遮蔽板を設けることで風路が狭くなり風速が増大する為、水滴が慣性によって遮蔽板に衝突し、遮蔽板の表面に留まる水滴量が増加する。結果として、飛散した水滴の蒸発が促進され、水滴を居室内に放出するのを抑制し、住居者の快適性を向上させることができる。
【００１６】
また、開口経路の風路に複数の板で構成され、隣接する板の間にスリットを設けた遮蔽スリット板を設けられた構成としてもよい。
【００１７】
この構成により、複数の遮蔽板の間にスリットを設けることで、風の気流が開口経路の風路を通過する際に風路がより狭くなるため、乱流が発生し易い状態となり、気流に含まれる水滴が、発生した乱流によって、空気との接触が増加することで蒸発を促進することができる。結果として、飛散した水滴の蒸発が促進され、水滴を居室内に放出するのを抑制し、住居者の快適性を向上させることができる。
【００１８】
また、遮蔽板は、開口経路の風路の上流に向かって開口経路の表面と鋭角を成すように傾斜させて設けられる構成としてもよい。
【００１９】
この構成により、遮蔽板が起立する近傍に乱流の渦を形成させることができる。したがって、気流に含まれる水滴が、形成された渦に巻き込まれることで空気との接触が増加し、蒸発が促進される。結果として、水滴を居室内に放出するのを抑制し、住居者の快適性を向上させることができる。
【００２０】
また、液体微細化装置を備えた空気清浄機としてもよい。
【００２１】
空気清浄機の機能の一つとして、加湿目的での液体微細化装置や殺菌を目的とした例えば次亜塩素酸発生装置といった水滴を気化させる装置が組み込まれている。これらの水滴を気化させるための機構として液体微細化装置を用いることで、体積の大きい水滴を居室内に放出するのを抑制し、より居住者の快適性を向上できる気化装置を得ることができる。
【００２２】
また、液体微細化装置を備えた空気調和機としてもよい。
【００２３】
空気調和機の機能の一つとして、加湿目的での液体微細化装置や殺菌を目的とした例えば次亜塩素酸発生装置といった水滴を気化させる装置が組み込まれている。これらの水滴を気化させるための機構として液体微細化装置を用いることで、体積の大きい水滴を居室内に放出するのを抑制し、より居住者の快適性を向上できる空気調和機を提供できる。
【００２４】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、図面ごとの説明は省略している。
【００２５】
（実施の形態１）
図１は、本発明の実施の形態における液体微細化装置の概略断面図を示したものである。本体ケース１は、空気を取り込む吸込口２と、空気を排出する吹出口３と、本体ケース１内部に通風するための送風機４を備えている。空気を取り込む吸込口２と、空気を排出する吹出口３とはそれぞれ対向する本体ケース１の側面にそれぞれ設けられている。
【００２６】
また、図１に示すように、本体ケース１は、送風機４と吸込口２との間の風路に、垂直方向に配置された液体微細化手段１６を備えた液体微細化室５を備えている。本体ケース１は、液体微細化手段１６が配置された液体微細化室５と送風機４が設けられる区画とを仕切壁１２によって区画している。
【００２７】
図１に示すように、本体ケース１を通過する風は、吸込口２、液体微細化室５、送風機４、吹出口３の順に送風される。
【００２８】
仕切壁１２は、図１に示すように本体ケース１の底面及び上面より立設して設けられている。また、この仕切壁１２は、液体微細化室５から送風機４に向かって空気の気流が通過する開口経路１３を備えている。開口経路１３は、液体微細化手段１６よりも鉛直方向の上部に位置するように設けられている。開口経路１３の断面の大きさは、送風機の送風量や液体微細化手段の加湿量等に応じて設けられている。実施例においては、おおよそ大きさは、１０ｃｍ（横幅）×５ｃｍ（縦幅）程度であるが、この大きさに限定するものでは無い。
【００２９】
図２は、開口経路１３の側方断面を示した断面図である。図２に示すように、開口経路１３の風路に向かって開口経路１３の表面から突出するように設けられた遮蔽板１４を備えている。遮蔽板１４は、仕切壁１２の開口経路１３と一体である構成、或いは仕切壁１２の開口経路１３と別体として取り付ける構成としても良い。図２では、開口経路１３の上面、下面からそれぞれ遮蔽板１４が設けられているが、開口経路１３の側面から設ける構成であっても良い。遮蔽板１４の枚数や大きさは、送風機４の送風量や液体微細化手段１６の加湿量等に応じて適宜調整することが好ましい。本実施例における遮蔽板１４の大きさとしては、開口経路１３の断面のおよそ５０％を塞ぐ程度の大きさである。
【００３０】
図３（ａ）は、他の実施例の開口経路１３の側方断面を示した断面図である。図３（ｂ）は、図３（ａ）の開口経路１３をA方向より見た開口経路１３の正面図である。図３（ｂ）に示すように開口経路１３の上面と下面とから立設する複数のスリット１５を備えた遮蔽スリットを示したものである。遮蔽スリットは、仕切壁１２の開口経路１３と一体である構成、或いは仕切壁１２の開口経路１３と別体として取り付ける構成としても良い。遮蔽スリットを構成するスリット１５の本数や大きさは、送風機４の送風量や液体微細化手段１６の加湿量等に応じて適宜調整することが好ましい。
【００３１】
図４は、本発明の他の実施の形態に係る遮蔽板１４が備えられた開口経路１３の側方断面図である。図４に示すように遮蔽板１４は、前記開口経路１３の風路の上流に向かって開口経路の表面と鋭角を成すように傾斜している。すなわち、遮蔽板１４は開口経路１３を通過する風の気流と鋭角を成すことで空気溜り１７を形成し、この空気溜り１７に気流が送風されることで乱流が発生する。遮蔽板１４は、仕切壁１２の開口経路１３と一体である構成、或いは仕切壁１２の開口経路１３と別体として取り付ける構成としても良い。遮蔽板１４の傾斜角や大きさは、送風機４の送風量や液体微細化手段１６の加湿量等に応じて適宜調整することが好ましい。
【００３２】
また、図１に示す液体微細化手段１６は、回転モータ８によって揚水管６を回転させることで貯水部７の水を吸い上げ、吸い上げた水を揚水管６の回転により回転板１０より飛散させることで液体微細化を図っている。この方法以外にも液体に圧力をかけて高速で噴射するより液体微細化を図るノズル方式や、液体に超音波をかけて高周波の振動によって液体微細化を図る超音波方式、または静電気力により液体表面から多数の液糸を生成させて液体微細化を図る電気式液体微細化手段などを用いることができるが、液体微細化手段は上述したこれらに限定するものではない。
【００３３】
本発明の液体微細化装置を用いた空気清浄機及び空気調和機をすることができる。図示はしないが、空気清浄機及び空気調和機に内蔵し、風路の一部に本発明の液体微細化装置を設けることで、空気清浄機及び空気調和機の機能の一つとして、加湿目的での液体微細化装置や殺菌を目的とした例えば次亜塩素酸発生装置といった水滴を気化させる装置として組み込むことができる。
【産業上の利用可能性】
【００３４】
本発明の液体微細化装置は、液滴微細化室から飛散した水滴が仕切壁によって仕切られるため、送風機に吸引されて居室内に放出するのを抑制することできる。また、液体微細化室の下流側に送風機を設けることで、仕切壁の開口経路を通過した水滴が送風機によって送風される際に、ファンの回転による旋回と遮蔽効果で、液体の蒸発が促進され、水滴を居室内に放出するのを抑制し、住居者の快適性を向上させるという効果を奏するものである。
【００３５】
したがって、例えば空気清浄機や空気調和機のほか、加湿装置や、サウナ装置への活用が期待される。
【符号の説明】
【００３６】
１    本体ケース
２    吸込口
３    吹出口
４    送風機
５    液体微細化室
６    揚水管
７    貯水部
８    回転モータ
９    回転軸
１０    回転板
１２    仕切壁
１３    開口経路
１４    遮蔽板
１５    スリット
１６    液体微細化手段
１７    空気溜り
１０１    液体微細化装置
１０２    処理室
１０３    貯水部
１０４    回転体
１０５    多孔体
【図１】
2019027675.tif 000003
【図２】
2019027675.tif 000004
【図３】
2019027675.tif 000005
【図４】
2019027675.tif 000006
【図５】
2019027675.tif 000007